(57)【特許請求の範囲】
【請求項１】
同一金種の硬貨を所定の枚数積層して収容する円筒状の硬貨ケースと、前記硬貨ケースを１個ずつ収納するポケット部として、複数の凹みが表面に形成された収納トレーと、前記ポケット部毎に配置され、前記ポケット部に収納された硬貨ケース内に収容される前記硬貨の有無、金種を検出する硬貨検知手段と、前記硬貨検知手段の検知結果に基づいて、前記硬貨の在り高を管理する管理手段と、を備えた硬貨収納装置であって、前記硬貨ケースは、前記ポケット部に収納された状態でその内部を開放するように直径位置で上下に分割可能に構成され、その下部は、同一金種の硬貨を所定の枚数積層し包装部材によって棒状に包装した棒金硬貨を収納可能なように、その上部に比べて前記包装部材の厚み分内部寸法が大きく形成され、前記硬貨検知手段は、前記下部に収納される前記棒金硬貨の有無、金種を検出し、前記管理手段は前記硬貨および前記棒金硬貨の検知結果に基づいて、前記収納トレー上に保管される硬貨の在り高を管理することを特徴とする硬貨収納装置。
【請求項２】
同一金種の硬貨を所定の枚数積層して収容する円筒状の硬貨ケースと、前記硬貨ケースを１個ずつ収納するポケット部として、複数の凹みが表面に形成された収納トレーと、前記ポケット部毎に配置され、前記ポケット部に収納された硬貨ケース内に収容される前記硬貨の有無、金種を検出する硬貨検知手段と、前記硬貨検知手段の検知結果に基づいて、前記硬貨の在り高を管理する管理手段と、を備えた硬貨収納装置において、前記ポケット部は、前記硬貨ケースより少ない所定の枚数の硬貨を積層して収容する短型硬貨ケースと、硬貨の積層方向の寸法を補完するアダプタとをはめ込み可能に形成され、前記ポケット部にはめ込まれる前記アダプタの有無を検出するアダプタ検知手段を備え、前記管理手段は、前記硬貨検知手段と前記アダプタ検知手段の検知結果に基づいて、前記収納トレー上に保管される硬貨の在り高を管理することを特徴とする硬貨収納装置。  
【請求項３】
前記短型硬貨ケースは、前記ポケット部に収納された状態でその内部を開放するように上下に分割可能に構成され、その下部に、同一金種の硬貨を所定の枚数積層して棒状に包装した棒金硬貨を収納可能とし、前記硬貨検知手段は、前記下部に収納される前記棒金硬貨の有無、金種を検出し、前記管理手段は前記硬貨および前記棒金硬貨の検知結果に基づいて、前記収納トレー上に保管される硬貨の在り高を管理することを特徴とする請求項２に記載の硬貨収納装置。
【発明の詳細な説明】
【技術分野】
【０００１】
本発明は、同一金種の硬貨が所定の枚数積層されて棒状に包装された棒金硬貨等を収納して管理する硬貨収納装置に関し、とくに釣銭払出機などと一体に用いられ、釣銭準備金としての棒金硬貨を収納しておいて、必要時に釣銭硬貨の補充を可能にする硬貨収納装置に関する。
【背景技術】
【０００２】
近年、スーパーマーケットやコンビニエンスストアなどのレジには、ＰＯＳ（販売時点情報管理）システムのような上位装置に接続して、受け取った貨幣（紙幣、硬貨）を釣銭として再利用することができる貨幣処理機が導入されている。この貨幣処理機は、概略的には投入された貨幣を内部に自動的に取り込んで、それらを金種別に収納庫に収納するとともに、その入金情報を外部の上位装置に送信する貨幣保管機能と、また外部の上位装置からの釣銭払出要求に応じて、収納されている貨幣の入金情報を送信して、該当する金額を保管している貨幣から釣銭として払い出す釣銭払出機能を備えている。すなわち、入金貨幣を払い出し貨幣として再利用するリサイクル機能を持つことによって、釣銭払出機としての容積を小型化できるものである。
【０００３】
ところで、この種の貨幣処理機では、例えばその内部に収納される特定の金種の硬貨が全て払い出されてしまうと、営業時間中であってもレジでの釣銭払い出しが行えなくなる。そこで、同一金種の硬貨を一定枚数だけ棒状にまとめて包装した棒金硬貨を、釣銭準備金として保管しておく硬貨保管庫が、レジ毎に貨幣処理機とは別に設けられている。これにより、釣銭硬貨が不足した時点で簡単かつ確実に補充できるように構成されている。
【０００４】
従来のこのような硬貨保管庫としては、先に公開された特開２００８−１９２０７８号公報(特許文献１)に記載されるような棒金保管庫が知られている。この特許文献1に記載される棒金保管庫は、筐体と、筐体に対し引き出しおよび収納可能に設けられるとともに、全金種の棒金硬貨を収納可能な収納凹部を複数有する棒金トレーと、すべての収納凹部に設けられて棒金の有無および収納された棒金硬貨の金種を識別可能な棒金有無・金種識別手段と、棒金有無・金種識別手段の出力に基づいて棒金硬貨の在り高（金額、数量）を管理する管理手段とを有するものである。これによれば、全ての収納凹部に、棒金硬貨の有無および収納された棒金硬貨の金種を検知する棒金有無・金種識別手段が設けられているため、任意のタイミングで棒金硬貨の在り高を検出することができる。また、棒金有無・金種識別手段が収納凹部における棒金の有無および収納された棒金硬貨の金種を検出するため、いずれの収納凹部にいずれの金種の棒金を収納しても在り高を誤って検出してしまうことがなく、収納作業が容易になるというものである。
【先行技術文献】
【特許文献】
【０００５】
【特許文献１】特開２００８−１９２０７８号公報
【発明の概要】
【発明が解決しようとする課題】
【０００６】
ところで、このような従来の硬貨収納庫に収納される棒金硬貨は、隙間や緩みが無く整然と包装されたもので無ければ、その棒金硬貨の有無、金種識別ができないため、これらの棒金硬貨を事前に銀行等から入手する、あるいは、専用の棒金硬貨包装機を利用して予め準備する必要があった。そのため、店舗内の貨幣処理機等から回収された１枚ずつバラバラの硬貨をそのまま利用できない不便さがあった。また、銀行等から入手する棒金硬貨、あるいは専用の硬貨包装機械を利用して準備される棒金硬貨は、その包装枚数が予め定められているため、必要な枚数の硬貨を適宜に準備することができず、その運用において余分な硬貨を無駄に収納しなければならない問題があった。
【０００７】
本発明は、このような問題に対応するため、１枚ずつバラバラの硬貨を棒金硬貨と同様に硬貨収納部にまとめて収納し、その在り高管理を可能にするとともに、その硬貨収納部に収納される硬貨の枚数を可変可能とすることで、店舗内等から回収したバラバラの硬貨を再利用することができ、また余分な硬貨を収容することのないもの、すなわち、店舗等の稼動状況に応じて、柔軟に釣銭準備金の運用が可能な使い勝手が良い硬貨収納装置を提供することを目的とするものである。
【課題を解決するための手段】
【０００８】
上記課題を解決するため、請求項１に係る発明は、硬貨収納装置において、同一金種の硬貨を所定の枚数積層して収容する円筒状の硬貨ケースと、前記硬貨ケースを１個ずつ収納するポケット部として、複数の凹みが表面に形成された収納トレーと、前記ポケット部毎に配置され、前記ポケット部に収納された硬貨ケース内に収容される前記硬貨の有無、金種を検出する硬貨検知手段と、前記硬貨検知手段の検知結果に基づいて、前記硬貨の在り高を管理する管理手段と、を備えた硬貨収納装置であって、前記硬貨ケースは、前記ポケット部に収納された状態でその内部を開放するように直径位置で上下に分割可能に構成され、その下部は、同一金種の硬貨を所定の枚数積層し包装部材によって棒状に包装した棒金硬貨を収納可能なように、その上部に比べて前記包装部材の厚み分内部寸法が大きく形成され、前記硬貨検知手段は、前記下部に収納される前記棒金硬貨の有無、金種を検出し、前記管理手段は前記硬貨および前記棒金硬貨の検知結果に基づいて、前記収納トレー上に保管される硬貨の在り高を管理するものである。
【００１０】
また、請求項２に係る発明は、同一金種の硬貨を所定の枚数積層して収容する円筒状の硬貨ケースと、前記硬貨ケースを１個ずつ収納するポケット部として、複数の凹みが表面に形成された収納トレーと、前記ポケット部毎に配置され、前記ポケット部に収納された硬貨ケース内に収容される前記硬貨の有無、金種を検出する硬貨検知手段と、前記硬貨検知手段の検知結果に基づいて、前記硬貨の在り高を管理する管理手段と、を備えた硬貨収納装置において、前記ポケット部は、前記硬貨ケースより少ない所定の枚数の硬貨を積層して収容する短型硬貨ケースと、硬貨の積層方向の寸法を補完するアダプタとをはめ込み可能に形成され、前記ポケット部にはめ込まれる前記アダプタの有無を検出するアダプタ検知手段を備え、前記管理手段は、前記硬貨検知手段と前記アダプタ検知手段の検知結果に基づいて、前記収納トレー上に保管される硬貨の在り高を管理するものである。
【００１１】
また、請求項３に係る発明は、請求項２に記載の硬貨収納装置において、前記短型硬貨ケースは、前記ポケット部に収納された状態でその内部を開放するように上下に分割可能に構成され、その下部に、同一金種の硬貨を所定の枚数積層して棒状に包装した棒金硬貨を収納可能とし、前記硬貨検知手段は、前記下部に収納される前記棒金硬貨の有無、金種を検出し、前記管理手段は前記硬貨および前記棒金硬貨の検知結果に基づいて、前記収納トレー上に保管される硬貨の在り高を管理するものである。
【００１２】
これらによれば、店舗内等から回収したバラ状の前記硬貨と所定に包装された前記棒金硬貨とを、同様に前記棒状ケースを介して前記ポケット部に収納し、その在高を管理することができる。また、前記ポケット部に所定の前記硬貨ケースより積層枚数の少ない硬貨を収容する短形硬貨ケースを収納し、その（積層方向の）余りの空間を保管するように前記アダプタを装着することで、そのポケット部に収納する硬貨の数量を変えることができる。
【発明の効果】
【００１３】
以上説明したように請求項１に係る発明によれば、１枚ずつバラバラの硬貨と所定に包装された棒金硬貨とを、同様に硬貨ケースまたはその一部を成す下部を介してポケット部に収納し、その在り高を管理することができるから、専用の棒金硬貨包装機等を必要とせず、店舗内の貨幣処理機等から回収された１枚ずつバラバラの硬貨をそのまま利用できる使い勝手の良い硬貨収納装置を提供することができる。また、請求項２または請求項３に係る発明によれば、硬貨の収容枚数が異なる短型硬貨ケースを用いてポケット部に収納する硬貨の枚数を変えることができるから、余分な硬貨を収容することがなく、店舗等の稼動状況に応じて、適宜な釣銭準備金が保管可能な硬貨収納装置を提供することができる。
【図面の簡単な説明】
【００１４】
【図１】本発明の実施の形態の硬貨収納装置を示す図であって、（ａ）は外観斜視図、（ｂ）は引出部を引き出した状態を示す状態斜視図である。
【図２】本発明の実施の形態の硬貨収納装置において、収納トレーのポケット部に装着される硬貨ケースの一例を示す図で、（ａ）は上面図、（ｂ）は側断面図である。
【図３】本発明の実施の形態の硬貨収納装置に用いる硬貨ケースを示すもので、（ａ）は硬貨ケースを２つに分割してその内部を開放し、その一方に所定枚数の硬貨を収容した図、（ｂ）は２つの分割部分を合わせて硬貨をまとめて保持した状態を示す図である。
【図４】本発明の実施の形態の硬貨収納装置における収納トレーのポケット部を示す図で、（ａ）はその断面図、（ｂ）はポケット部に硬貨ケースを収納した状態を示す断面図である。
【図５】本発明の実施の形態の硬貨収納装置における収納トレーのポケット部に棒金硬貨を収納する場合を示す図で、（ａ）はポケット部に硬貨ケースを２分割した一方を装着した状態を示す断面図、（ｂ）はポケット部に装着した硬貨ケースの一方に棒金硬貨を収容した状態を示す断面図である。
【図６】本発明の実施の形態の硬貨収納装置において、収納トレーのポケット部に短形アダプタを装着した状態を示す図で、（ａ）は平面図、（ｂ）は側断面図である。
【図７】本発明の実施の形態の硬貨収納装置において、収納トレーのポケット部に短形アダプタと短形硬貨ケースを装着した状態を示す図で、（ａ）は平面図、（ｂ）は側断面図である。
【図８】本発明の実施の形態の硬貨収納装置の制御構成の概略を示す制御ブロック図である。
【図９】本発明の実施の形態の硬貨収納装置において、収納トレーのポケット部に、硬貨ケースを介して収納される硬貨の材質、サイズ等を示す図である。
【発明を実施するための形態】
【００１５】
本発明の実施の形態について図を参照して説明する。図１は、本発明の実施の形態の硬貨収納装置を示す図であって、（ａ）は外観斜視図、（ｂ）は引出部を引き出した状態を示す状態斜視図である。図に示すように、この硬貨収納装置１は、上面が平坦面を成す筐体２の内部に、その前面側から引き出し可能な引出部３を備えている。引出部３の内部には、金種別の硬貨ケース１１を装着する複数の硬貨用のポケット部６と、紙幣、商品券等を収納する紙葉類収納部７と、バラ硬貨やクリップ等を保管する金物雑貨収納部８が設けられた収納トレー５が配置されている。なお、硬貨ケース１１は、同一金種の硬貨を所定の枚数厚み方向に積層して収容するもので、縦長の円筒状に形成されている。また、ポケット部６は、それぞれ所定の横幅と縦方向長さで、断面が所定の深さの半円形状の凹みとして収納トレー５の表面に形成されている。また、いくつかのポケット部６の長さ方向端部には、硬貨ケース１１に収容される硬貨の金種を判別するための硬貨形状センサ（硬貨検知手段）２１が設けられている。図の例では、複数並列して設けられたポケット部６に、５個の硬貨ケース１１が  一方に寄せて収納された状態が示されている。
【００１６】
また、引出部３はロック機構２５（図８参照）により、筐体２に押し込むことでロックされ、筐体２から引き出された場合は、引出センサ２６（図８参照）によりその引き出し状態が検出される。なお、このロック機構２５は、硬貨収納装置１が接続される貨幣処理機やＰＯＳレジスタ等の上位装置２８（図８参照）からの指示により解除されるものであることが望ましい。
【００１７】
図２は、収納トレー５のポケット部６に装着される硬貨ケース１１の一例を示す図で、（ａ）は上面図、（ｂ）は側断面図である。この硬貨ケースは、縦長の円筒状に形成され、直径位置で２部品１１ａ、１１ｂに分割可能に構成されている。なお、この２つの分割部分１１ａ、１１ｂを図示しない兆番等により連結し、これらを回動することによりその内部を開閉自在に構成しても良い。また、この硬貨ケース１１の両端部には、硬貨の孔明部や表面の模様が確認できるように開口部１１ｃが形成されている。このように構成される硬貨ケース１１に、硬貨を収容する場合は、図３の（ａ）に示すように硬貨ケース１１を２つに分割してその内部を開放し、その一方１１ａの内部に所定枚数（通常は５０枚）の硬貨を厚み方向に積層して収容する。そして、図３の（ｂ）に示すように２つの分割部分１１ａ、１１ｂを合わせて硬貨をまとめて保持する。なお、硬貨ケース１１の表面に、収納する硬貨の金種を表示すれば、その内部に収容される硬貨の金種が一目瞭然であるから好都合である。
【００１８】
このように、内部に、同一金種の硬貨を所定枚数積層して収容した硬貨ケース１１は、図４の（ａ）に示される収納トレー５のポケット部６に、図４の（ｂ）に示されるように収納される。このように硬貨ケース１１を介してポケット部６に収納された硬貨は、そのポケット部６の下方に設けられる硬貨検知センサ（硬貨検知手段）２２により、その硬貨の有無、材質等が識別される。
【００１９】
図５は、収納トレー５のポケット部６に、同一金種の硬貨が所定の枚数積層されて棒状に包装されたいわゆる棒金硬貨を収納する場合を示す図である。図５の（ａ）に示すように、この場合は、先ず、硬貨ケース１１を２つに分割してその一方１１ａをポケット部６に装着する。そして、図５の（ｂ）に示すように、この硬貨ケース１１の一方１１ａに棒金硬貨を収容する。このように硬貨ケース１１の一方１１ａを介してポケット部６に収納された硬貨は、そのポケット部６の下方に設けられる硬貨検知センサ２２により、その硬貨の有無、材質等が識別される。
【００２０】
なお、棒状に包装された棒金硬貨の外形寸法は、同種のバラ硬貨を同数積層したものに比べて包装フィルムの厚み分（約０．４ｍｍ）大きい。したがって、この硬貨ケース１１の一方１１ａの内部寸法（径、および縦方向長さ）をその分大きく形成すれば、その硬貨ケース１１の一方１１ａに対して、棒金硬貨の収納、取出を容易にすることができる。
【００２１】
図６、７は、上述の所定枚数（５０枚）の硬貨を積層して収容する硬貨ケース１１と比較して、硬貨の収納枚数が少ない（例えば２０枚）短型硬貨ケース１５を用いて、収納トレー５のポケット部６に硬貨を保管する例を示すものである。この短型硬貨ケース１５は、通常の硬貨ケース１１に比べて縦方向の寸法が短く形成されている。したがって、通常の硬貨ケース１１が収納されるポケット部６にこれを収納すると、硬貨の積層方向に間隙が生じる。そして、ポケット部６の下方に設けられる硬貨検知センサ２２の上方にその間隙が生じると、その硬貨を検知できない。図６は、このような不具合を回避するため、ポケット部６に積層方向の間隙を補間する短型アダプタ（アダプタ）１７を装着して、短型硬貨ケース１５をポケット部６の所定位置に収納できるようにした状態を示す図である。この場合、ポケット部６の側方には、短型アダプタ１７の装着を検知するアダプタ検知センサ（アダプタ検知手段）２３が設けられ、その装着が検知される。また、図７は収納トレー５のポケット部６にこの短型アダプタ１７と短型硬貨ケース１５が収納された状態を示す図である。これによれば、短型硬貨ケース１５は硬貨検知センサ２２の上方の所定位置に収納されるので、その内部に収容される硬貨の有無、材質等が容易に識別される。また、短型硬貨ケース１５を上述の通常の硬貨ケース１１と同様に分割可能に構成すれば、短型硬貨ケース１５に収容される硬貨の枚数と同数の硬貨を棒状に包装した棒金硬貨を、上述と同様に短型硬貨ケース１５の一方１５ａを介して収納トレー５のポケット部６に収納することができる。なお、短型硬貨ケース１５に収容される硬貨の枚数は、この硬貨収納装置１が設置される店舗やレジの稼動状態に応じて適宜に決定することが望ましい。すなわち、これによって店舗等の稼動状況に応じて適宜に釣銭準備金を保管することができるから、余分な釣銭準備金を保管せずに、釣銭準備金を効率良く運用することができる。
【００２２】
図８は、本発明の硬貨収納装置の制御構成の概略を示す制御ブロック図である。硬貨形状センサ２１は、ポケット部６の長さ（縦）方向の端部に配置されるフォトセンサであって、発光・受光部を有し、その光線の遮光（発光部、受光部がそれぞれポケット部両端に配置される場合）や反射（発光部、受光部がポケット部の一端に配置される場合）を検出することにより、硬貨の穴明部の有無やポケット部６の底部からの硬貨の高さ、すなわち硬貨の径の大きさを検知するものである。
【００２３】
また、硬貨検知センサ２２は、ポケット部６の下方に配置されるコイルセンサであって、硬貨ケース１１を介してポケット部６に収納される硬貨の有無を検出するとともに、その硬貨の材質別に生じる磁気の変化に基づいてその硬貨の材質を識別し、それによってその硬貨の金種を識別するものである。
【００２４】
また、アダプタ検知センサ２３は、ポケット部６の側方に配置されるフォトセンサ等であって、ポケット部６に短型アダプタ１７が装着されたか否かを検知するものである。また、引出センサ２６は、収納トレー５を備えた引出部３が筐体２から引き出されているか、その内部に押し込まれているかの状態を検出するものである。また、筐体２内に引出部３を押し込んだ状態でロックするロック機構２５は、硬貨収納装置１と接続される貨幣処理機やＰＯＳレジスタ等の上位装置２８からの指示により、そのロック状態を開放可能に構成されている。そして、主制御部（管理手段）３０は、これらを制御して収納トレー５上に保管される硬貨の在り高等を管理するものである。
【００２５】
また、図９は、収納トレー５のポケット部６に、硬貨ケース１１、短型硬貨ケース１５を介して収納される各金種の硬貨の材質、サイズ等を示す図である。ここで、各金種の硬貨を収容する硬貨ケース１１は、各金種の硬貨の大きさに準じてその大きさ（直径、長さ）が形成されている。そして、収納トレー５に設けられる各ポケット部６は、各金種毎に設けられる硬貨ケース１１に合致するようにその幅、長さ、半円形状の凹みが形成され、その金種の硬貨よりも径の大きい金種の硬貨を収容する硬貨ケース１１は収納できないように構成されている。
【００２６】
次に、このように構成される収納トレー５のポケット部６に、各金種の硬貨を収容する硬貨ケース１１を収納する場合について説明する。先ず、１円硬貨を収納するポケット部６は、１円硬貨を収容する硬貨ケース１１に合わせてその寸法が形成されているから、１円硬貨よりも直径の大きい他の金種の硬貨ケース１１は収納することができない。したがって、そのポケット部６の下方に設けられる硬貨検知センサ２２により、収納される硬貨の有無、材質を検知することにより１円硬貨の収納を検知することができる。
【００２７】
また、５円硬貨を収納するポケット部６は、５円硬貨よりも直径の大きい１０円、１００円、５００円の硬貨を収容する硬貨ケース１１は収納することができない。しかしながら、それよりも直径の小さい１円、５０円の硬貨を収容する硬貨ケース１１は、収納可能である。ここで、５円硬貨の材質が黄銅であるのに対し、１円硬貨の材質はアルミ、５０円硬貨の材質は白銅であるから、そのポケット部６の下方に設けられる硬貨検知センサ２２により、収納される硬貨の有無、及び材質の相違を検知することにより５円硬貨の収納を検知することができる。なお、収納硬貨の存在を検知し、その材質が黄銅であることを検知できない場合は、収納異常を表示する。
【００２８】
また、１０円硬貨を収納するポケット部６は、１０円硬貨よりも直径の大きい５００円の硬貨を収容する硬貨ケース１１は収納することができない。しかしながら、それよりも直径の小さい１円、５円、５０円、１００円の硬貨を収容する硬貨ケース１１は、収納可能である。ここで、１０円硬貨の材質が青銅であるのに対し、１円硬貨の材質はアルミ、５円硬貨の材質は黄銅、５０円及び１００円硬貨の材質は白銅であるから、そのポケット部６の下方に設けられる硬貨検知センサ２２により、収納される硬貨の有無、及び材質の相違を検知することにより、その材質の青銅である１００円硬貨の収納を検知することができる。
【００２９】
また、５０円硬貨を収納するポケット部６は、５０円硬貨よりも直径の大きい５円、１０円、１００円、５００円の硬貨を収容する硬貨ケース１１は収納することができない。しかしながら、それよりも直径の小さい１円の硬貨を収容する硬貨ケース１１は、収納可能である。ここで、５０円硬貨の材質が白銅であるのに対し、１円硬貨の材質はアルミであるから、そのポケット部６の下方に設けられる硬貨検知センサ２２により、収納される硬貨の有無、及び材質の相違を検知することにより５０円硬貨の収納を検知することができる。
【００３０】
また、１００円硬貨を収納するポケット部６は、１００円硬貨よりも直径の大きい１０円、５００円の硬貨を収容する硬貨ケース１１は収納することができない。しかしながら、それよりも直径の小さい１円、５円、５０円の硬貨を収容する硬貨ケース１１は、収納可能である。ここで、１００円硬貨の材質が白銅であるのに対し、１円硬貨の材質はアルミ、５円硬貨の材質は黄銅、５０円硬貨の材質は白銅であるから、そのポケット部６の下方に設けられる硬貨検知センサ２２により、収納される硬貨の有無、及び材質の相違を検知することにより、その材質が白銅である５０円、１００円硬貨の収納を検知することができる。さらに、ポケット部６の長さ方向端部に設けられる硬貨形状センサ２１により、硬貨の穴明部の有無を検知し、その硬貨に穴明部がなければ、１００円硬貨の収納を検知することができる。すなわち、硬貨検知センサ２２と硬貨形状センサ２１の両方により、１００円硬貨の収納を検知する。
【００３１】
また、５００円硬貨を収納するポケット部６は、それよりも直径の小さい他の金種（1円、５円、１０円、１００円）の硬貨を収容する硬貨ケース１１を収納可能である。ここで、５００円硬貨の材質が白銅（又はニッケル黄銅）であるのに対し、１円硬貨の材質はアルミ、５円硬貨の材質は黄銅、１０円硬貨の材質は青銅、５０円及び１００円硬貨の500円硬貨と同材質は白銅であるから、そのポケット部６の下方に設けられる硬貨検知センサ２２により、収納される硬貨の有無、及び材質の相違を検知することによって、その材質が白銅である５０円、１００円、５００円硬貨の収納を検知することができる。さらに、ポケット部６の長さ方向端部に設けられる硬貨形状センサ２１により、ポケット部６の底部から所定の高さの位置に硬貨が存在すること、すなわち硬貨の大きさを検知し、その径が２５ｍｍ以上あれば、５００円硬貨の収納を検知することができる。このようにして、硬貨検知センサ２２と硬貨形状センサ２１の両方により、５００円硬貨の収納を検知する。
【００３２】
なお、これらの硬貨検知センサ２２、硬貨形状センサ２１に加えて、アダプタ検知センサ２３の検知状態を判別することにより、各ポケット部６に収納される硬貨の枚数を検知することができる。このようにして、収納トレー５のポケット部６に収納される各金種の硬貨の在り高を管理することができる。
【００３３】
また、硬貨ケース１１、１５を２つに分割してその一方をポケット部６に装着し、この硬貨ケース１１、１５の一方１１ａ、１５ａを介して、所定枚数の硬貨を積層して棒状に包装した棒状硬貨をポケット部６に収納した場合も、同様に金種ごとに硬貨の収納を検知することができる。
【００３４】
さらに、引出センサ２６により、引出部３が筐体に押し込まれた状態であるか、引き出された状態であるかを検知することができるから、これら２つの状態における各金種の硬貨の在り高を比較することにより、貨幣処理機等に補充された硬貨の金種と数を検知し、その在り高を管理することができる。
【００３５】
以上のように、本発明の硬貨収納装置１においては、店舗内等から回収したバラ状の硬貨と所定に包装された棒金硬貨とを、同様に硬貨ケース１１またはその一方１１ａを介して収納トレー５のポケット部６に収納し、その在り高を管理することができる。また、そのポケット部６に所定の硬貨ケース１１よりも積層枚数の少ない硬貨を収容する短型硬貨ケース１５を収納し、その積層方向の余りの空間を保管するように短型アダプタ１７を装着することで、そのポケット部６に収納する硬貨の枚数を変えることができる。
【００３６】
したがって、専用の棒金硬貨包装機等を必要とせず、店舗内の貨幣処理機等から回収されたバラの硬貨を、そのまま硬貨収納装置に保管して利用できる使い勝手の良い硬貨収納装置を提供することができる。また、硬貨の収容枚数が異なる硬貨ケース１１、１５を用いてポケット部６に収納する硬貨の枚数を変えることができるから、余分な硬貨を収容することがなく、店舗等の稼動状況に応じて、適宜な釣銭準備金が保管可能な硬貨収納装置を提供することができる。
【００３７】
なお、本発明は、言うまでもなく本実施の形態に示す装置にのみ限定されず、その趣旨の包含する範囲で応用変更が可能である。例えば、収納トレー５の各ポケット部６に収納される硬貨ケース１１，１５や短型アダプタ１７の構成、形状や、ポケット部６に収納される硬貨の有無や金種、収納枚数を検知する硬貨検知センサ２２、硬貨形状センサ２１、或いはアダプタ検知センサ２３の構造及び検知方法等は、この実施形態に示すものに限定されるものではない。
【符号の説明】
【００３８】
１  硬貨収納装置
５  収納トレー
６  ポケット部
１１  硬貨ケース
１５  短型硬貨ケース
１７  短型アダプタ
２１  硬貨形状センサ（硬貨検知手段）
２２  硬貨検知センサ（硬貨検知手段）
２３  アダプタ検知手段
２６  引出センサ
３０  種制御部（管理手段）
【図３】
0005402436.tif 000002
【図４】
0005402436.tif 000003
【図５】
0005402436.tif 000004
【図６】
0005402436.tif 000005
【図７】
0005402436.tif 000006
【図８】
0005402436.tif 000007
【図９】
0005402436.tif 000008
【図１】
0005402436.tif 000009
【図２】
0005402436.tif 000010